(57)【要約】【課題】  使用者が軟質性本体の上面側、底面側の何れからも自由に選択して線材を収納孔部に収納することができる線樋を提供する。さらに、輸送したり保管しておく場合に巻回しておいても、スリット部が広がったり、スリット部に皺が入るようなことはなく、軟質性本体が型崩れせず、線樋を床面や地面等に敷設する場合にまったく支障のない線樋を提供する。また、スリット部を必要に応じて形成できるようにして、線樋の前端または後端から収納孔部に線材を直接差し込んで収納する場合には、スリット部を形成しないものとして、線樋自体の強度性が低下しないようにした線樋を提供する。【解決手段】  線材Ｌの収納孔部１を軟質性本体２に設けたものとし、この軟質性本体２の上面側および底面側に、前記収納孔部１に向かって、切断または破断することにより前記収納孔部１に連通するスリット部４が形成されるようにした弱め部３を設けたものとした。【選択図面】    図１
2006158117.tif 000002
【特許請求の範囲】
【請求項１】
線材（Ｌ）の収納孔部（１）を軟質性本体（２）に設けたものとし、この軟質性本体（２）の上面側および底面側に、前記収納孔部（１）に向かって、切断または破断することにより前記収納孔部（１）に連通するスリット部（４）が形成されるようにした弱め部（３）を設けたことを特徴とする線樋。
【請求項２】
前記収納孔部（１）を、軟質性本体（２）に複数設けたことを特徴とする請求項１記載の線樋。
【請求項３】
前記弱め部（３）を、軟質性本体（２）の上面（２ａ）および底面（２ｂ）に形成した溝とすることにより、軟質性本体（２）の上面（２ａ）および底面（２ｂ）と、収納孔部（１）の間の肉厚を薄くしたものとしたことを特徴とする請求項１または２記載の線樋。
【請求項４】
前記弱め部（３）を、軟質性本体（２）の上面（２ａ）および底面（２ｂ）から、収納孔部（１）に到る部分の硬度を、軟質性本体（２）の硬度よりさらに低くしたものとしたことを特徴とする請求項１または２記載の線樋。
【請求項５】
前記弱め部（３）を、軟質性本体（２）の上面（２ａ）および底面（２ｂ）に形成した溝とすることにより、軟質性本体（２）の上面（２ａ）および底面（２ｂ）と、収納孔部（１）の間の肉厚を薄くしたものとし、さらにこの肉厚を薄くした部分の硬度を、軟質性本体（２）の硬度よりさらに低くしたものとしたことを特徴とする請求項１または２記載の線樋。
【発明の詳細な説明】
【技術分野】
【０００１】
この発明は、家屋またはビル、一般事務所や展示会場の床面、壁面、建設現場の地面等に配線される電線、ケーブル、チューブなどの線材を保護するために使用される線樋に関するものである。
【背景技術】
【０００２】
従来、この種の線樋は、例えば図１１に示したように、低い山型に形成された軟質性本体１１に、電線、ケーブルなどの線材の収納孔部１２と、この収納孔部１２に連通すると共に底面側に開口するスリット部１３とからなる前記線材の収納部１４…を、中央の一本を大径とし、その両側に小径として、複数本設けたものが存在する（特許文献１）。
【０００３】
このように構成された従来の線樋は、合成ゴムや軟質合成樹脂で作製されているため、線樋全体が撓み易くなり、床面や地面等に敷設した場合にその敷設面に多少の段差があってもフィットすると共に、物が当たったり、踏みつけられたりした場合の衝撃を緩和したり、騒音を防止する等の利点を有している。
【特許文献１】登録実用新案第３０１１９９３号公報（第２頁、図１）
【発明の開示】
【発明が解決しようとする課題】
【０００４】
しかしながら、上記従来の線樋では、軟質性本体１１を反らせることにより前記軟質性本体１１の底面側のスリット部１３を広げて、このスリット部１３から収納孔部１２に電線、ケーブルなどの線材を収納していた。そのため、使用者が前記収納孔部１２に線材を軟質性本体１１の上面側から収納したくてもその選択の余地がなく、適応性に欠けるという問題点を有していた。
【０００５】
さらに、上記従来の線樋は、輸送したり保管しておく場合に、図１２、１３に示したように巻回しておくと、スリット部１３が広がると共にスリット部１３に皺が入る。この皺は、線樋を床面や地面等に敷設した場合にも直ぐには取れず、線樋が床面や地面等から浮いたりして不都合であるという問題点を有していた。
【０００６】
また、上記従来の線樋では、前記収納孔部１２に電線、ケーブルなどの線材を収納するために、軟質性本体１１の底面側にスリット部１３を最初から形成していたが、線樋の前端または後端から収納孔部１２にこれら線材を直接差し込んで収納する場合には、そのスリット部１３が不要となる。しかし、このようにスリット部１３を最初から形成していると、スリット部１３の存在によって線樋自体の強度性が低下するという問題点を有していた。
【０００７】
そこで、この発明は、上記従来の問題点を解決することをその課題としており、使用者が軟質性本体の上面側、底面側の何れからも自由に選択して前記線材を収納孔部に収納することができる線樋を提供することを目的としてなされたものである。
【０００８】
さらに、この発明は、輸送したり保管しておく場合に巻回しておいても、スリット部が広がったり、スリット部に皺が入るようなことはなく、軟質性本体が型崩れせず、線樋を床面や地面等に敷設する場合にもまったく支障のない線樋を提供することを目的としてなされたものである。
【０００９】
また、この発明は、スリット部を必要に応じて形成できるようにして、線樋の前端または後端から収納孔部に前記線材を直接差し込んで収納する場合には、スリット部を形成しないものとして、線樋自体の強度性が低下しないようにした線樋を提供することを目的としてなされたものである。
【課題を解決するための手段】
【００１０】
そのため、この発明の線樋は、線材Ｌの収納孔部１を軟質性本体２に設けたものとし、この軟質性本体２の上面側および底面側に、前記収納孔部１に向かって、切断または破断することにより前記収納孔部１に連通するスリット部４が形成されるようにした弱め部３を設けたものとしている。
【００１１】
そして、この発明の線樋は、前記収納孔部１を、軟質性本体２に複数設けたものとしている。
【００１２】
さらに、この発明の線樋は、前記弱め部３を、軟質性本体２の上面２ａおよび底面２ｂに形成した溝とすることにより、軟質性本体２の上面２ａおよび底面２ｂと、収納孔部１の間の肉厚を薄くしたものとしている。
【００１３】
また、この発明の線樋は、前記弱め部３を、軟質性本体２の上面２ａおよび底面２ｂから、収納孔部１に到る部分の硬度を、軟質性本体２の硬度よりさらに低くしたものとしてもよい。
【００１４】
さらにまた、この発明の線樋は、前記弱め部３を、軟質性本体２の上面２ａおよび底面２ｂに形成した溝とすることにより、軟質性本体２の上面２ａおよび底面２ｂと、収納孔部１の間の肉厚を薄くしたものとし、さらにこの肉厚を薄くした部分の硬度を、軟質性本体２の硬度よりさらに低くしたものとしてもよい。
【発明の効果】
【００１５】
この発明の線樋は、以上に述べたように構成されているので、使用者が軟質性本体の上面側、底面側の何れからも自由に選択して前記線材を収納孔部に収納することができるようになり、適応性に富むものとなる。さらに、この発明の線樋は、輸送したり保管しておく場合に巻回しておいても、スリット部が広がったり、スリット部に皺が入るようなことはないので、軟質性本体が型崩れせず、線樋を床面や地面等に敷設する場合にもまったく支障のないものとなる。また、この発明の線樋は、線樋の前端または後端から収納孔部に前記線材を直接差し込んで収納する場合には、スリット部を形成しないものとすることにより、線樋自体の強度性が低下しないものとなる。
【発明を実施するための最良の形態】
【００１６】
以下、この発明の線樋を実施するための最良の形態を、図面に基づいて詳細に説明する。
【００１７】
この発明の線樋は、図１、２に示したように、電線、ケーブル、チューブなどの線材Ｌの収納孔部１を長尺の軟質性本体２の長さ方向に設けたものとしている。さらに、この軟質性本体２の上面側および底面側の長さ方向に、前記収納孔部１に向かって弱め部３を設けたものとしている。そして、この弱め部３は、切断または破断することにより、前記収納孔部１に連通するスリット部４が形成されるようにしている。
【００１８】
収納孔部１は、図示したものは断面形状を円形としているが、必要に応じて楕円形、長円形、四角形、三角形などとすることもでき、軟質性本体２の中央部または中央部以外に少なくとも一つ設けておればよいが、線樋に多数本の線材Ｌを敷設する場合など必要に応じて、図示したように中央部に設けた収納孔部１の両側に一つまたは複数設けたものとすることができる。この収納孔部１には、線樋の前端または後端から線材Ｌを直接差し込むことによって収納することもできるが、後で述べるように弱め線３を切断したり、破断して形成したスリット部４から線材Ｌを差し込むことによって収納するようにしている。
【００１９】
軟質性本体２は、合成ゴムや軟質合成樹脂等からなり、図示したものでは、断面形状を三角状の低い山形状としており、上面２ａの頂部ｔの左右に緩い勾配面ｓ、ｓを有したものとし、床に敷いた場合に人が踏んでも違和感が少なく、引っ掛かりにくく、乗り越えやすいようにしている。さらに、前記軟質性本体２は、図示していないが、断面形状を円弧状の低い山形状としたり、断面形状を台形状の低い山形状などとして、図示したものと同様、床に敷いた場合に人が踏んでも違和感が少なく、引っ掛かりにくく、乗り越えやすいようにすることもできる。
【００２０】
弱め部３は、図１に示したように、軟質性本体２の長さ方向に沿って上面２ａおよび底面２ｂに形成した長い溝とすることにより、軟質性本体２の上面２ａおよび底面２ｂと、収納孔部１の間の肉厚を薄くしたものとすることができるが、このような長い溝を形成することなく、軟質性本体２の上面２ａおよび底面２ｂと、収納孔部１の間の肉厚を単に薄くしたものとすることができる。さらに、前記弱め部３は、図２に示したように、軟質性本体２の長さ方向に沿って上面２ａおよび底面２ｂから、収納孔部１に到る部分の硬度を、軟質性本体２の硬度よりさらに低くしたものとしてもよい。
【００２１】
さらに、前記弱め部３は、図１と図２に示したものを組み合わせたものとしてもよい。すなわち、前記弱め部３は、軟質性本体２の上面２ａおよび底面２ｂに形成した長い溝とすることにより、軟質性本体２の上面２ａおよび底面２ｂと、収納孔部１の間の肉厚を薄くしたものとし、さらにこの肉厚を薄くした部分の硬度を、軟質性本体２の硬度よりさらに低くしたものとすることができる。
【００２２】
また、この発明の線樋は、軟質性本体２の底面２ｂの両端部には、図示していないが、床や壁等へ貼着しておけるように、貼着剤を塗布したり、両面貼着テープを設けたりしておくことができる。また、これら貼着剤や両面貼着テープは、保管時などに他の個所に引っ付かないように、剥離紙で被覆しておくことができる。
【００２３】
以上のように構成したこの発明の線樋は、その前端または後端から線材Ｌを直接差し込んだり、弱め部３を切断したり、破断して形成したスリット部４から線材Ｌを差し込むことによって、軟質性本体２の収納孔部１に収納し、軟質性本体２の底面２ｂに塗布した貼着剤や、これらに設けた両面貼着テープに被覆した剥離紙を剥がし、家屋またはビル、一般事務所や展示会場の床面、壁面等へ貼着しておくことができる。
【００２４】
この発明の線樋は、その前端または後端から線材Ｌを直接差し込んで、収納孔部１に収納する場合には、弱め部３を切断したり、破断しないでおき、収納孔部１にスリット部４を形成しない。このように収納孔部１にスリット部４を形成しなければ、収納孔部１の内壁面が分断されることなく、その内壁面の張力が弱められることなく、線樋自体の強度性は低下することがない。
【００２５】
さらに、この発明の線樋の収納孔部１に線材Ｌを軟質性本体２の上面側から収納する場合には、この軟質性本体２の上面２ａに設けた弱め部３を切断したり、破断して形成したスリット部４から線材Ｌを差し込むことによって、収納孔部１に収納する。そのためには、前記弱め部３をカッターナイフなどで切断したり、マイナスドライバーなどで引き破ってスリット部４を形成し、図３に示したように、軟質性本体２の上面２ａを反らせることにより軟質性本体２の上面側のスリット部４を広げて、このスリット部４から収納孔部１に線材Ｌを収納し、図４に示したように、軟質性本体２を元の状態に戻してから、床面や壁面などに敷設すればよい。このようにすれば、軟質性本体２の上面２ａに存在するスリット部４から、収納孔部１に線材Ｌを引き出したり、差し込んだりするのが、非常に行い易いものとなる。なお、軟質性本体２の上面２ａを反らせると、軟質性本体２の底面２ｂに設けた弱め部３から軟質性本体２が容易に曲げられ、軟質性本体２の上面側のスリット部４も容易に広がることになる。
【００２６】
また、この発明の線樋の収納孔部１に線材Ｌを軟質性本体２の底面側から収納する場合には、この軟質性本体２の底面２ｂに設けた弱め部３を切断したり、破断して形成したスリット部４から線材Ｌを差し込むことによって、収納孔部１に収納する。そのためには、前記弱め部３をカッターナイフなどで切断したり、マイナスドライバーなどで引き破ってスリット部４を形成し、図５に示したように、軟質性本体２の底面２ｂを反らせることにより軟質性本体２の底面側のスリット部４を広げて、このスリット部４から収納孔部１に線材Ｌを収納し、図６に示したように、軟質性本体２を元の状態に戻してから、床面や壁面などに敷設すればよい。このようにすれば、軟質性本体２の上面２ａにはスリット部４が存在せず、収納孔部１に埃や塵が入ることがなく、線材Ｌを汚すようなことはない。なお、軟質性本体２の底面２ｂを反らせると、軟質性本体２の上面２ａに設けた弱め部３から軟質性本体２が容易に曲げられ、軟質性本体２の底面側のスリット部４も容易に広がることになる。
【００２７】
さらにまた、この発明の線樋は、前記したような収納孔部１に線材Ｌを軟質性本体２の上面側または底面側から収納する操作を繰り返して行えば、図７に示したように、収納孔部１に線材Ｌを軟質性本体２の上面側および底面側の両側から収納することもできる。
【００２８】
なお、この発明の線樋の複数個所に設けた収納孔部１には、引き出したり、差し込む頻度の高い線材Ｌの場合には軟質性本体２の上面側から収納するのが好ましく、引き出したり、差し込む頻度の低い線材Ｌの場合には軟質性本体２の底面側から収納するのが好ましい。すなわち、引き出したり、差し込む頻度の高い線材Ｌは、軟質性本体２の上面２ａに存在するスリット部４から収納孔部１にその線材Ｌを引き出したり、差し込んだりするのが、非常に行い易いものとなり、また引き出したり、差し込む頻度の低い線材Ｌは、軟質性本体２の上面２ａにスリット部４が存在しないので、収納孔部１に埃や塵が入ることがなく、その線材Ｌを汚すようなことはない。
【００２９】
さらに、この発明の線樋は、輸送したり保管しておく場合に、図８、９に示したように巻回しておいても、弱め部３を切断または破断しない初期の状態においてはスリット部４が形成されていないため、このスリット部４が広がったり、スリット部１３に皺が入るようなことはないので、軟質性本体が型崩れするようなことはない。
【００３０】
また、この発明の線樋は、収納孔部１に線材Ｌを軟質性本体２の底面側から収納した場合には、図１０に示したように、軟質性本体２の上面２ａに設けた弱め部３を部分的に切断または破断してスリット部４を形成すれば、このスリット部４から収納孔部１に収納したに線材Ｌを引き出すことができ、非常に使い勝手のよいものとなる。
【図面の簡単な説明】
【００３１】
【図１】この発明の線樋の一実施形態を示す一部斜視図である。
【図２】この発明の線樋の他の実施形態を示す一部斜視図である。
【図３】この発明の線樋の収納孔部に線材を軟質性本体の上面側から収納する状態を示す説明図である。
【図４】この発明の線樋の収納孔部に線材が収納された状態を示す断面図である。
【図５】この発明の線樋の収納孔部に線材を軟質性本体の底面側から収納する状態を示す説明図である。
【図６】この発明の線樋の収納孔部に線材が収納された状態を示す断面図である。
【図７】この発明の線樋の収納孔部に線材が収納された状態を示す断面図である。
【図８】この発明の線樋を巻回した状態の説明図である。
【図９】図８中のＡ−Ａ線による断面図である。
【図１０】この発明の線樋の使用状態を示す一部斜視図である。
【図１１】従来の線樋の一例を示す断面図である。
【図１２】従来の線樋を巻回した状態の説明図である。
【図１３】図１２中のＢ−Ｂ線による断面図である。
【符号の説明】
【００３２】
１  収納孔部
２  軟質性本体
２ａ  上面
２ｂ  底面
３  弱め部
４  スリット部
Ｌ  線材
【図１】
2006158117.tif 000003
【図２】
2006158117.tif 000004
【図３】
2006158117.tif 000005
【図４】
2006158117.tif 000006
【図５】
2006158117.tif 000007
【図６】
2006158117.tif 000008
【図７】
2006158117.tif 000009
【図８】
2006158117.tif 000010
【図９】
2006158117.tif 000011
【図１０】
2006158117.tif 000012
【図１１】
2006158117.tif 000013
【図１２】
2006158117.tif 000014
【図１３】
2006158117.tif 000015